(57)【要約】【課題】複数の装飾部材のそれぞれに索条挿通用の環状部を設けて個々の装飾部材を独立したペンダントとして使用することができ、また、各装飾部材の環状部を係合せしめることによって複数の装飾部材を安定よろしく吊り下げることができてデザイン性を損なうことがないペンダントを提供する。【解決手段】複数の装飾部材１、２よりなり、これら各装飾部材の上部に、装飾部材を吊り下げるための索条を挿通せしめる孔３ａ、５ａを有する環状部３、５を設け、これら環状部３、５を、環状部の孔３ａ、５ａが一致するように互いに係合可能に設けた。【選択図】　　図２
0003098457.tif 000002
【実用新案登録請求の範囲】
【請求項１】
複数の装飾部材よりなり、これら各装飾部材の上部に、装飾部材を吊り下げるための索条を挿通せしめる孔を有する環状部を設け、これら環状部を、環状部の孔が一致するように互いに係合可能に設けてなるペンダント。
【請求項２】
互いに係合可能な第１の装飾部材と第２の装飾部材よりなり、これら各装飾部材の上部に、装飾部材を吊り下げるための索条を挿通せしめる孔を有する環状部を設け、上記第１の装飾部材と第２の装飾部材とを係合せしめると、各装飾部材の環状部も環状部の孔が一致するように互いに係合できるように構成してなるペンダント。
【請求項３】
前記第１の装飾部材における環状部の孔と第２の装飾部材における環状部の孔はいずれも索条を左右方向に挿通できるように開口し、第１の装飾部材の環状部の背面側に、周方向に開口し、第２の装飾部材の環状部をその半径方向から嵌入してこれら環状部の孔を一致せしめることができる開口部を設けてなる請求項２に記載のペンダント。
【考案の詳細な説明】
【０００１】
【考案の属する技術分野】
本考案は金属チェーンや紐等の索条により、主に首から吊り下げて使用する身飾品のペンダントに関する。
【０００２】
【従来のペンダント】
従来のペンダントは、上部に吊り下げ用の索条を挿通せしめる環状部を有し、ペンダントが複数の装飾部材よりなる場合には各装飾部材にそれぞれ環状部を設けてこれら装飾部材が直列となるように索条にて吊り下げるか、あるいは環状部を有する１つの部材の環状部以外の部位に設けた係合部と、他の装飾部材に設けた係合部とを連結する構成としてある。
【０００３】
【考案が解決しようとする課題】
複数の装飾部材よりなるペンダントは、１つの装飾部材で構成されるものよりもデザインの自由度が高くファッション性を豊かに表現することができるというメリットがあるが、各装飾部材を別々に使用する場合にもそれぞれが装飾性に優れたものでなければならない。
【０００４】
複数の装飾部材を直列に吊り下げるタイプのものは、装飾部材を個別にしても個々の装飾性を損なうおそれはあまりないが、複数の装飾部材間にまとまりや位置の安定性がない。
【０００５】
また、装飾部材間に係合部を設けたものでは、各装飾部材を個別に吊り下げて使用するということができず、使用方法に広がりがない。
【０００６】
【目的】
本考案の目的とするところは、複数の装飾部材のそれぞれに索条挿通用の環状部を設けて個々の装飾部材を独立したペンダントとして使用することができ、また、各装飾部材の環状部を係合せしめることによって複数の装飾部材を安定よろしく吊り下げることができてデザイン性を損なうことがないペンダントを提供することにある。
【０００７】
【課題を解決するための手段】
上記目的を達成するために、本考案の請求項１に係るペンダントは、複数の装飾部材よりなり、これら各装飾部材の上部に、装飾部材を吊り下げるための索条を挿通せしめる孔を有する環状部を設け、これら環状部を、環状部の孔が一致するように互いに係合可能に設けた構成のものとしてある。
【０００８】
また、本考案の請求項２に係るペンダントは、互いに係合可能な第１の装飾部材と第２の装飾部材よりなり、これら各装飾部材の上部に、装飾部材を吊り下げるための索条を挿通せしめる孔を有する環状部を設け、上記第１の装飾部材と第２の装飾部材とを係合せしめると、各装飾部材の環状部も環状部の孔が一致するように互いに係合できるように構成したものとしてある。
【０００９】
さらに、本考案の請求項３に係るペンダントは、請求項２に係るペンダントにおいて、前記第１の装飾部材における環状部の孔と第２の装飾部材における環状部の孔がいずれも索条を左右方向に挿通できるように開口し、第１の装飾部材の環状部の背面側に、周方向に開口し、第２の装飾部材の環状部をその半径方向から嵌入してこれら環状部の孔を一致せしめることができる開口部を設けた構成のものとしてある。
【００１０】
【実施例】
以下、本考案に係るペンダントの実施例を添付図面に示す具体例に基づいて詳細に説明する。
第１の装飾部材１と第２の装飾部材２は、互いに係合可能な形状のものとしてあって、例えば図１、２および４に示されるように第１の装飾部材１を十字架状、第２の装飾部材２をハート型に形成し、第２の装飾部材の中央孔部２ａに第１の装飾部材１の垂直上部１ａを挿通し、第１の装飾部材の水平部１ｂにて第２の装飾部材を支持するように形成してある。
【００１１】
前記第１の装飾部材１の垂直上部背面側には、第１の環状部３を設けてあり、この環状部は金属チェーン４や革紐等の吊り下げ用の索条を挿通できるよう孔３ａが左右方向に連通している。
また、第２の装飾部材２の上部にも金属チェーン４や革紐等の吊り下げ用の索条を挿通できるよう孔５ａが左右方向に連通する第２の環状部５を設けてある。
【００１２】
なお、第１の装飾部材と第２の装飾部材の各前面には、多数の宝玉７、７をあしらう場合もあるし、表面に凹凸よりなるデザインを施す場合もあり、また平坦面とする場合もある。
しかして前記第１の環状部の背面側には、周方向にこの環状部の内外を連通する開口部６が設けられていて、この開口部の幅は第２の環状部５の幅とほぼ同じか若干大なるものとしてあって、図３に示されるように第２の環状部５を第１の環状部へ開口部６を通して半径方向に嵌入せしめることができるようになっている。
【００１３】
そして、第２の環状部５を第１の環状部３に嵌入させると、第１の環状部の孔３ａと第２の環状部５の孔５ａが一致させられて、吊り下げ用のチェーン４を容易に挿通せしめることができるようにしてある。
【００１４】
上述した実施例のものでは、装飾部材を２つのもので構成してあるが、３つ以上の装飾部材にそれぞれ環状部を設けてこれら環状部の孔を一致できるように係合させる構造とする場合もある。
【００１５】
また、第１の装飾部材１と第２の装飾部材は少なくともそれぞれの環状部どうしが係合できれば事が足り、したがって必ずしも装飾部材どうしが環状部以外の部位で係合する形状のものとしなくてもよい。
【００１６】
【考案の効果】
以上、本考案によれば吊り下げ用の索条を挿通せしめる環状部を、各環状部の孔が一致するように互いに係合できるように設けてあるので、複数の装飾部材を組み合わせて吊り下げた際の安定性に優れ、したがって装飾性を損なうことなく自由なデザインのペンダントとすることができる。
【００１７】
また、各装飾部材にはそれぞれ吊り下げ用の索条を相通せしめる環状部を設けてあるので、各装飾部材に個別の索条を挿通せしめて別々に使用することもできる。
【００１８】
さらに、各装飾部材間は環状部で係合せしめる構成としてあるので、環状部以外の位置に係合用の突起等のデザイン性を損なうような構成を設ける必要がなく、個々の装飾部材のデザインの自由度を高めることができる。
【図面の簡単な説明】
【図１】本考案に係るペンダントの実施例を前面側から示す斜視図。
【図２】本考案に係るペンダントの実施例を背面側から示す斜視図。
【図３】環状部を背面側から拡大して示す斜視図。
【図４】本考案に係るペンダントの使用状態を示す斜視図。
【符号の説明】
１　第１の装飾部材
２　第２の装飾部材
３　第１の環状部
４　金属チェーン
５　第２の環状部
６　開口部
７　宝玉
【図１】
0003098457.tif 000003
【図２】
0003098457.tif 000004
【図３】
0003098457.tif 000005
【図４】
0003098457.tif 000006